(57)【要約】【課題】  簡単な構成でありながら、ピースの数を増やさずに難易度をあげるとともに、実用品としての活用も可能なジグソーパズルを提供する。【解決手段】  ジグソーパズル１０は、開口部が設けられた台紙１２と、ピースＰＡ〜ＰＦにより構成されている。ピースＰＡ〜ＰＦは、方形部の辺部から円の一部を突出させた形状の凸部，または、辺部から円の一部を切り欠いた形状の凹部の少なくともいずれかを備えている。凸部及び凹部を形成する円の中心と、辺部の中心との間隔を、前記円の直径の約１／４に相当する長さ程度とすると、壊れにくくロック機能に優れたピースが得られる。ピースＰＡ〜ＰＥにより縁の部分を構成し、その内側に全て同一形状のピースＰＦを用いることにより、ピース表面に設けられた図柄等のみを参照して組み立てを行うことになるため、難易度があがる。【選択図】図１
2007020627.tif 000002
【特許請求の範囲】
【請求項１】
多数のピースを所定の位置に嵌め合わせるジグソーパズルであって、
前記ピースが、隣接する全てのピースと凹凸によって嵌合可能であるとともに、
前記ピースを嵌め合わせた集合体の縁部以外の内側のピースが、全て同一形状であることを特徴とするジグソーパズル。
【請求項２】
多数のピースを所定の位置に嵌め合わせるジグソーパズルであって、
前記ピースが、隣接する全てのピースと凹凸によって嵌合可能であるとともに、前記ピースが、限定された所定種類に形成されていることを特徴とするジグソーパズル。
【請求項３】
前記ピースが、略正方形の辺部中央から円の一部が突出した形状の凸部，
前記略正方形の他の辺部中央から円の一部を切り欠いた形状の凹部，
の少なくともいずれかを備えており、
前記凸部及び凹部の嵌合により、前記多数のピース同士の組み立てを行うことを特徴とする請求項１又は２記載のジグソーパズル。
【請求項４】
前記凸部又は凹部を形成する円の中心点と前記辺部の中心点を結ぶ直線が、前記辺部と常に直交しており、
前記凸部を形成する円の中心点と前記辺部の中心点との間隔が、前記円の直径の約１／４の長さとなるように、凸部を形成する円の中心点を辺部の外側に配置し、
前記凹部を形成する円の中心点と前記辺部の中心点との間隔が、前記円の直径の約１／４の長さとなるように、凹部を形成する円の中心点を辺部の内側に配置する，
ことを特徴とする請求項３記載のジグソーパズル。
【請求項５】
前記ピースの少なくとも一方の主面に、図柄，絵，写真，文字，数字，記号の少なくともいずれか，あるいは、それらの一部分を設けたことを特徴とする請求項１〜４のいずれかに記載のジグソーパズル。
【請求項６】
前記ピースを組み合わせた集合体を嵌合する嵌合部を有する台紙ないしパネル，
を備えたことを特徴とする請求項１〜５のいずれかに記載のジグソーパズル。
【発明の詳細な説明】
【技術分野】
【０００１】
本発明は、多数のピースを組み合わせて図柄や写真等を復元するジグソーパズルに関するものである。
【背景技術】
【０００２】
ジグソーパズルは、周知のように、厚紙や薄い板に絵や写真を印刷し、これを不規則な形状となるように切り離し、切り離された多数のピースを組み合わせて元の絵などを復元するものである。このようなジグソーパズルとしては、例えば、以下の特許文献１及び２に示すものがある。
【特許文献１】特開平８−３２３０３８号公報
【特許文献２】特開平８−２１５４２４号公報
【発明の開示】
【発明が解決しようとする課題】
【０００３】
しかしながら、以上の背景技術に示すような一般的なジグソーパズルでは、ピース形状が不規則なため、特定の位置に該当するピースの候補数がある程度限られてしまい、完成時にも十分な達成感を得られないことがある。そのため、難易度を上げるためには、更にピースの数を増やさなければならず、ピースの数が膨大となり、完成品のサイズも大きくなってしまうという不都合がある。また、従来のジグソーパズルは、単なる娯楽用のものがほとんどであり、完成品をインテリアとして飾る程度にしか日常生活に役立てることができない。
【０００４】
本発明は、以上の点に着目したもので、その目的は、簡単な構成でありながら、ピースの数を増やさずに難易度をあげることができるジグソーパズルを提供することである。他の目的は、実用品としての利用も可能なジグソーパズルを提供することである。
【課題を解決するための手段】
【０００５】
前記目的を達成するため、本発明は、多数のピースを所定の位置に嵌め合わせるジグソーパズルであって、前記ピースが、隣接する全てのピースと凹凸によって嵌合可能であるとともに、前記ピースを嵌め合わせた集合体の縁部以外の内側のピースが、全て同一形状であることを特徴とする。
【０００６】
他の発明は、多数のピースを所定の位置に嵌め合わせるジグソーパズルであって、前記ピースが、隣接する全てのピースと凹凸によって嵌合可能であるとともに、前記ピースが、限定された所定種類に形成されていることを特徴とする。
【０００７】
主要な形態の一つは、前記ピースが、略正方形の辺部中央から円の一部が突出した形状の凸部，前記略正方形の他の辺部中央から円の一部を切り欠いた形状の凹部，の少なくともいずれかを備えており、前記凸部及び凹部の嵌合により、前記多数のピース同士の組み立てを行うことを特徴とする。
【０００８】
他の形態は、前記凸部又は凹部を形成する円の中心点と前記辺部の中心点を結ぶ直線が、前記辺部と常に直交しており、前記凸部を形成する円の中心点と前記辺部の中心点との間隔が、前記円の直径の約１／４の長さとなるように、凸部を形成する円の中心点を辺部の外側に配置し、前記凹部を形成する円の中心点と前記辺部の中心点との間隔が、前記円の直径の約１／４の長さとなるように、凹部を形成する円の中心点を辺部の内側に配置する，ことを特徴とする。
【０００９】
更に他の形態は、前記ピースの少なくとも一方の主面に、図柄，絵，写真，文字，数字，記号の少なくともいずれか，あるいは、それらの一部分を設けたことを特徴とする。更に他の形態は、前記ピースを組み合わせた集合体を嵌合する嵌合部を有する台紙ないしパネル，を備えたことを特徴とする。本発明の前記及び他の目的，特徴，利点は、以下の詳細な説明及び添付図面から明瞭になろう。
【発明の効果】
【００１０】
本発明は、多数のピースを所定の位置に嵌め合わせるジグソーパズルであって、前記ピースが、隣接する全てのピースと凹凸によって嵌合可能であるとともに、(1)前記ピースを嵌め合わせた集合体の縁部以外の内側のピースを全て同一形状とする，あるいは、(2)前記ピースを、限定された所定種類に形成することとした。このため、ピースの数を増やすことなく、パズルの難易度をあげることができる。また、内側のピースが任意の位置に移動可能であるため、ピースの表面ないし裏面に設ける図柄，文字，数字などの工夫により、娯楽のみならず、実用品としての活用が可能であるという効果が得られる。
【発明を実施するための最良の形態】
【００１１】
以下、本発明を実施するための最良の形態を、実施例に基づいて詳細に説明する。
【実施例１】
【００１２】
最初に、図１〜図４を参照しながら、本発明の実施例１を説明する。図１は、本実施例の構成を示す図であり、ピースを嵌めた状態を示す図，図２は、本実施例の台紙を示す図
，図３は、前記ピースの凹凸形状を示す平面図である。図４は、本実施例の複数のピースを示す平面図である。
【００１３】
図１及び図２に示すように、本実施例のジグソーパズル１０は、台紙１２と、該台紙１２の開口部１４及び１６に嵌め込み可能なピースＰＡ〜ＰＦにより形成されている。前記台紙１２は、平板状の底板１２Ａと、開口部１４及び１６が形成された枠体１２Ｂの貼り合わせとなっており、厚紙や木材，プラスチックなどの公知の各種の材質により形成されている。本実施例では、開口部１４に、多数のピースＰＡ〜ＰＦを組み立てたピース集合体が嵌め込み可能となっている。前記ピースＰＡ〜ＰＦの表面には、組み立てたときに、例えば、所定の図柄，絵，写真，文字（列），数字（列），記号などが完成するように、それらの一部が印刷などにより形成されている。このようなピースＰＡ〜ＰＦは、例えば、厚紙など、公知の各種の材質により形成されている。なお、前記開口部１６については、実施例２で詳述する。
【００１４】
パズルに用いられるピースは、本実施例では、図４に示すように、ピースＰＡ〜ＰＦの６種類となっている。各ピースは、図３のピースＰＡに例示するように、略正方形の方形部２０の辺部略中央から外側に円の半分以上を突出させた形状の凸部２４と、他の辺部略中央から内側に円の半分以上を切り欠いた形状の凹部３０の少なくともいずれかを備えている。
【００１５】
ピースＰＡは、図４(A-1)及び(A-2)に示すように、凸部２４と凹部３０を１つずつ備えており、開口部１４の対向する角に配置される。なお、一方の角に配置するピースＰＡは、他方の角に配置するピースＰＡの表裏を反転させた形状となっている。ピースＰＢは、図４(B-1)及び(B-2)に示すように、１つの凸部２４と、２つの凹部３０を備えており、開口部１４の隣接する辺部に複数個配置される。なお、一方の辺部に配置されるピースＰＢは、他方の辺部のピースＰＢと表裏が反転した形状となっている。ピースＰＣは、図４(C-1)及び(C-2)に示すように、２つの凸部２４と１つの凹部３０が設けられており、前記開口部１４の他の隣接する辺部に複数個配置される。なお、一方の辺部に配置されるピースＰＣは、他方の辺部のピースＰＣと表裏が反転した形状となっている。
【００１６】
次に、ピースＰＤは、図４(D)に示すように、２つの凹部３０が設けられており、開口部１４の角部であって、前記ピースＰＢが配置される辺部が交わる角に配置される。ピースＰＥは、図４(E)に示すように、２つの凸部２４が設けられており、前記開口部１４の角部であって、前記ピースＰＣが配置される辺部が交わる角に配置される。更に、ピースＰＦは、図４(F)２つの凸部２４と２つの凹部３０が設けられており、前記ピースＰＡ〜ＰＥによって形成される縁部の内側に多数配置される。
【００１７】
ここで、図３に示すように、凸部２４を形成する半径ｒの円の中心２６と辺部２０Ａの中心２２Ａを結ぶ直線２８は、常に辺部２０Ａと直交しており、前記円の中心２６は、前記辺部２０Ａの中心２２Ａから外側に向かって、半径ｒの半分の長さに相当する位置に配置されている。すなわち、円の中心２６が、直径の約１／４に相当する長さだけ辺部２０Ａの中心２２Ａから外側にずれている。一方、凹部３０の場合は、凹部３０を形成する半径ｒの円の中心３２と辺部２０Ｂの中心２２Ｂを結ぶ直線３４は、常に辺部２０Ｂと直交しており、前記円の中心３２は、前記辺部２０Ｂの中心２２Ｂから内側に向かって、半径ｒの半分の長さに相当する位置に配置されている。すなわち、円の中心３２が、直径の１／４に相当する長さだけ辺部２０Ｂの中心２２Ｂから内側にずれている。他のピースＰＢ〜ＰＦの凸部２４Ａ及び凹部３０の配置についても同様であり、このような形状及び配置とすることにより、前記ピースＰＡ〜ＰＦ同士が、凸部２４と凹部３０の嵌合により組立可能となっている。
【００１８】
本実施例では、前記凸部２４と凹部３０を形成する円の中心を、上述した通り円の直径の約１／４に相当する長さ分だけ辺部の中心からずらすことにより、ジグソーパズルの機能として重要な各ピース同士のロック機能が良好に作用する。すなわち、１／４の地点よりも円の中心が辺部に近づくとロックが甘くなり、完成したジグソーパズル１０を立てかけて利用する際に、簡単にばらばらになってしまうという不都合がある。反対に、１／４の地点よりも円の中心が辺部から遠ざかると、ロックは効くものの、凸部２４の付け根の部分が壊れやすくなってしまう。また、ピースを作成する際の抜き型の精度の点からも、１／４程度とするのが好ましい。
【００１９】
本実施例では、ピースの形状を上述した通りに設定することにより、６種類に限定することができ、開口部１４の縁部を除く内側は、全て同一形状のピースＰＦを使用することになる。従来のジグソーパズルのように各ピースの形状に画一性がない場合には、ピースの形状と図柄の双方に基づいてピースを嵌める位置を決定するのに対して、本実施例では、ピースＰＦの表面に設けられた図柄等のみを参照してピースを嵌める位置を決定するため難易度があがる。更に、本実施例の場合は、開口部１４の角部のピースＰＡ，ＰＤ，ＰＥを除く辺部のピースＰＢ及びＰＣも、同一形状のものを複数個使用しているため、一層難易度があかり、完成時の達成感をより高めることができる。
【００２０】
このように、実施例１によれば、次のような効果がある。
(1)ピースの形状を６種類に限定し、前記ピースを組み立てた時の角部以外を構成するピースについては、同一形状のものを複数個用いることとしたので、ピースの数を増やすことなく、組み立て時の難易度を上げることができる。
(2)前記ピースＰＡ〜ＰＦに設ける凸部２４及び凹部３０を、円の一部を突出させた形状ないし切り欠いた形状とするとともに、前記円の中心と辺部の中心の間隔を、前記円の直径の約１／４程度としたので、ピース同士を良好にロックするとともに、前記凸部２４の耐久性を維持することができる。
【実施例２】
【００２１】
次に、図５を参照しながら本発明の実施例２を説明する。図５は、本実施例２を示す平面図であり、(A)はピースの表側を利用した場合，(B)はピースの裏側を利用した場合を示す図である。なお、上述した実施例１と同一ないし対応する構成要素には同一の符号を用いることとする。本実施例２は、本発明のジグソーパズルを、万年カレンダーに適用した例である。
【００２２】
本実施例のジグソーパズル５０は、基本的には、上述した実施例１と同様の構成となっており、開口部１４及び１６が形成された台紙１２と、多数のピースＰＡ〜ＰＥ，ＰＦ１〜ＰＦ３により構成されている。前記ピースＰＦ１〜ＰＦ３の形状は、前記実施例のピースＰＦと同様である。本実施例では、開口部１４に嵌め込まれるピースのうち、角部と辺部を構成するピースＰＡ〜ＰＥは、表面及び裏面のどちら側にも、文字や数字が入っていない無地となっており、内側を構成するピースＰＦ１〜ＰＦ３には、「曜日」「日」「月」のいずれかの表示が設けられている。「曜日」を表わすピースＰＦ１は、図５(A)に示すように表側が漢字，図５(B)に示すように裏側が英語表記となっている。また、「日」を表わすピースＰＦ２は、表側・裏側ともに数字が設けられているが、反転して利用した場合のことを考慮して、数字の向きが９０度異なっている。更に、「月」を表わすピースＰＦ３は、表側が英語表記、裏側が数字となっており、これも反転した場合を考慮して、数字の向きが決められている。
【００２３】
前記台紙１２に設けられた他の開口部１６は、「月」を表わすピースＰＦ３が嵌合可能な形状となっている。該開口部１６に嵌め込まれるピースＰＦ３は、図５(A)に破線で示すように、対角線を軸に反転することで、同一形状のまま裏面に変えることができる。このようなジグソーパズル５０では、前記ピースＰＦ１〜ＰＦ３を適宜位置に変えることによって、万年カレンダーとして利用することができるとともに、ピースの表裏を反転させることによって、異なる表示形態での利用も可能となる。なお、図５(A)に示す状態から、図５(B)に示す状態となるようにピースを反転させた場合は、台紙１２自体を９０度回転させて使用すると都合がよく、更に、必要に応じて、「曜日」や「日」を並べる位置を適宜変更すればよい。
【００２４】
このように、本実施例によれば、同一形状のピースＰＦ１〜ＰＦ３を利用して、「曜日」「日」「月」の表示を設けることとしたので、万年カレンダーとして活用することができる。また、ピースの表裏両面を利用することとしたので、表裏で異なる表示スタイルのカレンダーとして活用することができる。
【００２５】
なお、本発明は、上述した実施例に限定されるものではなく、本発明の要旨を逸脱しない範囲内において種々変更を加え得ることができる。例えば、以下のものも含まれる。
(1)前記実施例で示した形状，寸法，材質は一例であり、同様の効果を奏するように適宜変更してよい。
(2)前記実施例で示したピースの数も一例であり、必要に応じて適宜増減してよい。
(3)前記実施例１では、ピースＰＡ〜ＰＦの表面のみを利用することとしたが、裏面にも図柄などを設けて、表裏で二通りのパズルを楽しめる構成としてもよい。
(4)前記実施例２では、ピースＰＦ１〜ＰＦ３の表裏両面をカレンダーとして利用することとしたが、表面をカレンダー用とし、裏面を前記実施例１に示すように通常のパズルとして用いるようにしてもよいし、その逆としてもよい。また、表側が「月曜日」に対応するピースの裏面を必ずしも「ＭＯＮ」にする必要はなく、他の曜日の英語表記や「月」「日」など他の項目を表示するようにしてもよい。
(5)前記台紙１２も一例であり、同様の効果を奏するように適宜設計変更してよい。
(6)前記図５(A)に示す例では、曜日を上段に設けることとしたが、必要に応じて中央付近の段に配置するようにしてもよい。
(7)実施例２の万年カレンダーは一例であり、本発明のジグソーパズルは、ピースを所定位置にあてはめて図柄などを完成させる一般的なパズルのほか、ピースの並べ替えによって表示の変更が可能なもの全般に適用可能である。
【産業上の利用可能性】
【００２６】
本発明によれば、多数のピースを、隣接する全てのピースと凹凸によって嵌合可能とするとともに、ピースの形状に画一性を持たせて並べ替えを容易にしたので、難易度が高いジグソーパズルの用途に適用できる。特に、表裏両面を利用し、必要に応じて、ピースの表面ないし裏面に設ける図柄，文字，数字などの工夫が可能であることから、実用品を兼ねたジグソーパズルとしての用途に好適である。
【図面の簡単な説明】
【００２７】
【図１】本発明の実施例１の全体を示す斜視図である。
【図２】前記実施例１の台紙を示す斜視図である。
【図３】前記実施例１のピースの凹凸形状を示す平面図である。
【図４】前記実施例１の複数のピースを示す平面図である。
【図５】本発明の実施例２を示す平面図であり、(A)はピースの表側を利用した場合、(B)はピースの裏側を利用した場合を示す図である。
【符号の説明】
【００２８】
１０：ジグソーパズル
１２：台紙
１２Ａ：底板
１２Ｂ：枠体
１４，１６：開口部
２０：方形部
２０Ａ，２０Ｂ：辺部
２２Ｂ，２２Ｂ：辺部の中心
２４：凸部
２６，３２：円の中心
２８，３４：線
３０：凹部
５０：ジグソーパズル
ＰＡ〜ＰＦ，ＰＦ１〜ＰＦ３：ピース
【図１】
2007020627.tif 000003
【図２】
2007020627.tif 000004
【図３】
2007020627.tif 000005
【図４】
2007020627.tif 000006
【図５】
2007020627.tif 000007